(57)【要約】【課題】軽量で、耐久性に優れたサイド補強層を備えた空気入りタイヤを提供する。【解決手段】サイド補強層１０を備える。サイド補強層１０は、間隔を空けて特定方向に延びるように配置された複数の線材１３を含む基材１１を備える。基材１１は、２次元的に繰り返し形成された複数の多角形部１４を含む。各多角形部１４は、捩合部１５と単線部１６とにより画定される各捩合部１５は、線材１３のうち、隣接して配置された線材同士を２回以上捩り合わせることにより形成される。各単線部１６は、捩合部１５を構成する線材１３の一方である。【選択図】図２
2015105031.tif 000002
【特許請求の範囲】
【請求項１】
サイド補強層を備えた空気入りタイヤであって、
前記サイド補強層は、
間隔を空けて特定方向に延びるように配置された複数の線材を含む基材を備え、
前記基材は、２次元的に繰り返し形成された複数の多角形部を含み、
前記各多角形部は、捩合部と単線部とにより画定され、
前記各捩合部は、前記線材のうち、隣接して配置された線材同士を２回以上捩り合わせることにより形成され、
前記各単線部は、前記捩合部を構成する線材の一方であることを特徴とする空気入りタイヤ。
【請求項２】
前記サイド補強層は、一端がベルトの一端内面とカーカスプライの外面との間に配置され、他端がビードフィラーに配置されることを特徴とする請求項１に記載の空気入りタイヤ。
【請求項３】
前記サイド補強層は、一端がカーカスプライの外面でタイヤ断面高さの６０％以下の範囲に配置され、他端がビードフィラーに配置されることを特徴とする請求項１に記載の空気入りタイヤ。
【請求項４】
前記サイド補強層は、ベルトとビードフィラーの間でカーカスプライの外面に配置されることを特徴とする請求項１に記載の空気入りタイヤ。
【請求項５】
前記サイド補強層は、他端が前記ビード部で外側から内側に折り返され、ビード部で内側から外側に折り返されたカーカスプライの内側に配置されることを特徴とする請求項２に記載の空気入りタイヤ。
【請求項６】
前記サイド補強層は、他端が前記ビード部で内側から外側に折り返され、ビード部で内側から外側に折り返されたカーカスプライの内側に配置されることを特徴とする請求項２に記載の空気入りタイヤ。
【請求項７】
前記サイド補強層は、前記基材が帯状であり、両側部が長手方向に延びる縦線材でそれぞれ構成されていることを特徴とする請求項１から６のいずれか１項に記載の空気入りタイヤ。
【請求項８】
前記サイド補強層は、前記基材が、前記縦線材を３本以上備え、前記各縦線材の間の各分割領域にそれぞれ複数の多角形部を形成してなることを特徴とする請求項７に記載の空気入りタイヤ。
【請求項９】
前記サイド補強層は、前記基材を構成する各多角形部の形状を変更可能であることを特徴とする請求項１から８のいずれか１項に記載の空気入りタイヤ。
【請求項１０】
前記サイド補強層は、前記各分割領域間で形状の相違する多角形部をそれぞれ配置してなることを特徴とする請求項８に従属する請求項９に記載の空気入りタイヤ。
【請求項１１】
前記サイド補強層は、前記多角形部の形状が捩合部ピッチを変更することにより調整可能であることを特徴とする請求項９又は１０に記載の空気入りタイヤ。
【請求項１２】
前記サイド補強層は、前記捩合部ピッチが、線材同士の捩合回数、捩合部から延びる単線材の傾斜角度、又は、隣接する線材の間隔を変更することにより調整可能であることを特徴とする請求項１１に記載の空気入りタイヤ。
【請求項１３】
前記サイド補強層は、前記基材の全体をコーティングする被覆部をさらに備えたことを特徴とする請求項１から１２のいずれか１項に記載の空気入りタイヤ。
【請求項１４】
サイド補強層を備えた空気入りタイヤであって、
前記サイド補強層は、
線材同士を互いに捩り合わせてなる捩合部と、
前記捩合部から延びる、前記線材の一方からなる単線部と、
で囲まれた多角形部を、同一平面上に連続的に形成してなる基材を備え、
前記基材の捩合部は２本の線材同士を２回以上捩り合わせることにより形成したことを特徴とする空気入りタイヤ。
【請求項１５】
線材同士を互いに捩り合わせてなる捩合部と、前記捩合部から延びる、前記線材の一方からなる単線部と、で囲まれた多角形部を、同一平面上に連続的に形成する基材を備えたサイド補強層の形成工程を備えることを特徴とする空気入りタイヤの製造方法。
【請求項１６】
さらに、前記基材の全体を被覆部でコーティングするベルトの形成工程を備えることを特徴とする請求項１５に記載の空気入りタイヤの製造方法。
【発明の詳細な説明】
【技術分野】
【０００１】
本発明は、空気入りタイヤ及びその製造方法に関するものである。
【背景技術】
【０００２】
従来、特許文献１として、長手方向に並設した複数本のワイヤコイルに対して交差する２方向から他のワイヤコイルをからげるようにした構成のタイヤのベルト（補強部材）が公知である。
また特許文献２として、交差する３方向にそれぞれ延びる複数本のベルトコードを織り合わせた構成のタイヤのベルトが公知である。
また特許文献３として、網目構造を有する金属薄板からなるタイヤのベルトが公知である。
【０００３】
しかしながら、特許文献１では、長手方向に延びるワイヤコイルに交差する他のワイヤコイルをからげているだけであるので、互いに擦れて摩耗し、場合によっては破断する恐れがある。特に軽量化のためにワイヤコイルに樹脂材料を使用した場合等にはこの問題が顕著なものとなる。
また特許文献２でも前記特許文献１に記載のものと同様に、ベルトコード同士が互いに摺接して摩耗し、場合によっては破断する恐れがある。
また特許文献３では、全体が単一の金属薄材で構成されているため、組み込まれたタイヤが縁石等に乗り上げることにより、その一部に外力が集中すると破断する恐れがある。
また前記いずれの特許文献でも、サイド補強層の軽量化を図り、耐久性を向上させるための構成に関する記載はない。
【先行技術文献】
【特許文献】
【０００４】
【特許文献１】特開平１−２３７２０３号公報
【特許文献２】特開平５−１６２５０８号公報
【特許文献３】特開２０００−２５４１２号公報
【発明の概要】
【発明が解決しようとする課題】
【０００５】
本発明は、軽量で、耐久性に優れたサイド補強層を備えた空気入りタイヤ及びその製造方法を提供することを課題とする。
【課題を解決するための手段】
【０００６】
本発明は、前記課題を解決するための手段として、
サイド補強層を備えた空気入りタイヤであって、
前記サイド補強層は、
間隔を空けて特定方向に延びるように配置された複数の線材を含む基材を備え、
前記基材は、２次元的に繰り返し形成された複数の多角形部を含み、
前記各多角形部は、捩合部と単線部とにより画定され、
前記各捩合部は、前記線材のうち、隣接して配置された線材同士を２回以上捩り合わせることにより形成され、
前記各単線部は、前記捩合部を構成する線材の一方である空気入りタイヤを提供する。
【０００７】
この構成により、線材を２回以上捩り合わせて形成した捩合部で、線材同士の擦れを効果的に防止できる。したがって、線材同士が擦れて摩耗により破断する恐れを大幅に低減できる。また多角形部で多方向の剛性を高めることができる。さらに多角形部は同一平面上に連続的に形成されただけであるので多層化する必要がなく、軽量化が可能となる。つまり、サイド補強層の耐久性を維持しつつ軽量化が可能となる。
【０００８】
前記サイド補強層は、一端がベルトの一端内面とカーカスプライの外面との間に配置され、他端がビードフィラーに配置されるようにすればよい。
【０００９】
前記サイド補強層は、一端がカーカスプライの外面でタイヤ断面高さの６０％以下の範囲に配置され、他端がビードフィラーに配置されるようにすればよい。
【００１０】
前記サイド補強層は、ベルトとビードフィラーの間でカーカスプライの外面に配置されるようにすればよい。
【００１１】
前記サイド補強層は、他端が前記ビード部で外側から内側に折り返され、ビード部で内側から外側に折り返されたカーカスプライの内側に配置されるようにすればよい。
【００１２】
前記サイド補強層は、他端が前記ビード部で内側から外側に折り返され、ビード部で内側から外側に折り返されたカーカスプライの内側に配置されるようにすればよい。
【００１３】
前記サイド補強層は、前記基材が帯状であり、両側部が長手方向に延びる縦線材でそれぞれ構成されているのが好ましい。
【００１４】
この構成により、基材の両側部の縦線材で、サイド補強層を安定した形状に維持しやすくなり、剛性バランスを優れたものとすることができる。
【００１５】
前記サイド補強層は、前記基材が、前記縦線材を３本以上備え、前記各縦線材の間の各分割領域にそれぞれ複数の多角形部を形成してなるのが好ましい。
【００１６】
この構成により、サイド補強層に適切なものとなるように、各分割領域での剛性を変更することができる。
【００１７】
前記サイド補強層は、前記基材を構成する各多角形部の形状を変更可能であるのが好ましい。
【００１８】
この構成により、必要とされる剛性に方向性がある場合であっても、それに応じて多角形部の形状を変更することにより対応することができる。例えば、剛性が必要とされる方向には短く、必要とされない方向には長くなるように形成すればよい。
【００１９】
前記サイド補強層は、前記各分割領域間で形状の相違する多角形部をそれぞれ配置してなるのが好ましい。
【００２０】
この構成により、各分割領域での剛性の高低をサイド補強層に適した値に設定することができる。
【００２１】
前記サイド補強層は、前記多角形部の形状が捩合部ピッチを変更することにより調整可能であればよい。
【００２２】
前記サイド補強層は、前記捩合部ピッチが、線材同士の捩合回数、捩合部から延びる単線材の傾斜角度、又は、隣接する線材の間隔を変更することにより調整可能であればよい。
【００２３】
前記サイド補強層は、前記基材の全体をコーティングする被覆部をさらに備えるようにすればよい。
【００２４】
本発明は、前記課題を解決するための手段として、
サイド補強層を備えた空気入りタイヤであって、
前記サイド補強層は、
線材同士を互いに捩り合わせてなる捩合部と、
前記捩合部から延びる、前記線材の一方からなる単線部と、
で囲まれた多角形部を、同一平面上に連続的に形成してなる基材を備え、
前記基材の捩合部は２本の線材同士を２回以上捩り合わせることにより形成したものである。
【００２５】
この構成により、線材を２回以上捩り合わせて形成した捩合部で、線材同士の擦れを効果的に防止できる。したがって、線材同士が擦れて摩耗により破断する恐れを大幅に低減できる。また多角形部で多方向の剛性を高めることができる。さらに多角形部は同一平面上に連続的に形成されただけであるので多層化する必要がなく、軽量化が可能となる。つまり、サイド補強層の耐久性を維持しつつ軽量化が可能となる。
【００２６】
また本発明は、前記課題を解決するための手段として、
線材同士を互いに捩り合わせてなる捩合部と、前記捩合部から延びる、前記線材の一方からなる単線部と、で囲まれた多角形部を、同一平面上に連続的に形成する基材を備えたサイド補強層の形成工程を備えた空気入りタイヤの製造方法を提供するものである。
【００２７】
さらに、前記基材の全体を被覆部でコーティングするベルトの形成工程を備えるのが好ましい。
【発明の効果】
【００２８】
本発明によれば、タイヤのサイド補強層を、捩合部と単線部とで囲まれた複数の多角形部からなる基材を備え、捩合部を２本の線材同士を２回以上捩り合わせた構成としたので、線材同士の擦れが殆どなく、摩耗により切断する恐れがない。したがって、サイド補強層の耐久性を高めて、長期に亘って所望の性能を発揮させることができる。
【図面の簡単な説明】
【００２９】
【図１】本実施形態に係る空気入りタイヤの部分断面図である。
【図２】図１のサイド補強層の斜視図である。
【図３】図２に示す基材の平面図である。
【図４】図３に示す１つの多角形部の拡大図である。
【図５】図２の変形例を示す基材の平面図である。
【図６】図２の変形例を示す基材の平面図である。
【図７】図２の変形例を示す基材の平面図である。
【図８】図２の変形例を示す基材の平面図である。
【図９】第２実施形態に係るサイド補強層を備えた空気入りタイヤの部分断面図である。
【図１０】第３実施形態に係るサイド補強層を備えた空気入りタイヤの部分断面図である。
【図１１】第４実施形態に係るサイド補強層を備えた空気入りタイヤの部分断面図である。
【図１２】第５実施形態に係るサイド補強層を備えた空気入りタイヤの部分断面図である。
【図１３】第６実施形態に係るサイド補強層を備えた空気入りタイヤの部分断面図である。
【図１４】他の実施形態に係るサイド補強層を備えた空気入りタイヤの部分断面図である。
【図１５】他の実施形態に係るサイド補強層を備えた空気入りタイヤの部分断面図である。
【図１６】他の実施形態に係るサイド補強層を備えた空気入りタイヤの部分断面図である。
【図１７】他の実施形態に係るサイド補強層を備えた空気入りタイヤの部分断面図である。
【図１８】他の実施形態に係るサイド補強層を備えた空気入りタイヤの部分断面図である。
【図１９】他の実施形態に係る基材の平面図である。
【図２０】他の実施形態に係る基材の平面図である。
【発明を実施するための形態】
【００３０】
以下、本発明に係る実施形態を添付図面に従って説明する。なお、以下の説明は、本質的に例示に過ぎず、本発明、その適用物、あるいは、その用途を制限することを意図するものではない。また図中、同一または類似の部分には、同一または類似の符号を付している。但し、図面は模式的なものであり、各寸法の比率などは現実のものとは相違している。
【００３１】
図１は、第１実施形態に係る空気入りタイヤの部分断面図を示す。この空気入りタイヤでは、外部構造は、トレッド部１、ショルダー部２、サイド部３及びビード部４で構成されている。また内部構造は、トレッド部１からショルダー部２にかけて設けられるベルト５を備える。ベルト５の外周側に補強プライ６が設けられている。ベルト５の内周側にはカーカスプライ７が設けられている。カーカスプライ７はトレッド部１からビード部４に向かい、そこに内蔵されるビードコア８で折り返して、これに隣接するビードフィラー９を超えて外面側に至る。またカーカスプライ７の外面側にはサイド補強層１０が設けられている。なお、ここでは他の部材の説明については省略する。
【００３２】
（第１実施形態）
第１実施形態に係るサイド補強層１０は、一端がベルト５の一端内面と、カーカスプライ７の外面との間に配置され、他端がビードフィラー９の内面と、カーカスプライ７の外面との間に配置されている。
【００３３】
図２に示すように、サイド補強層１０は基材１１の表面を被覆部１２で覆ってシート状としたものである。
【００３４】
図３に示すように、基材１１は、複数本の線材１３を所定位置で捩り合わせて複数の多角形部１４を形成してシート状としたものである。
【００３５】
線材１３には、スチール等の金属材料、ポリエステル、アラミド、レーヨン、ナイロン等の有機繊維からなる樹脂材料等を使用することができる。各線材１３は、１本で構成してもよいが、より細い複数本を束ねてあるいは撚り合わせて１本とした構成とすることもできる。
【００３６】
基材１１は、１本の線材１３を、上下方向（縦方向）に複数本並設し、隣り合う線材同士を上下方向に所定ピッチで捩り合わせたものである。すなわち、隣り合う線材同士が捩り合わされた捩合部１５と、この捩合部１５から延びる一方の線材１３からなる単線部１６とで囲まれた多角形部１４が形成される。ここでは、多角形部１４は正六角形で構成されている。また捩合部１５は、線材同士を２回以上捩り合わせることにより形成する。ここでは、線材同士を２回半捩り合わせることで捩合部１５を形成している（図２では、捩合部１５の中心位置に円形の空間部が示されているが、これは捩合状態をわかりやすくするためのものであって、実際には空間部は形成されない。）。両側部の線材１３（縦線材１７）は上下方向に真っ直ぐ延びたままで使用する。多角形部１４は、縦線材１７の間で同一平面上に連続的に形成され、ハニカム形態を構成する。
【００３７】
図４に示すように、１つの多角形部１４に着目してより詳細に説明する。この多角形部１４は、隣接する２本の線材１３を捩り合わせた捩合部１５から分岐してそれぞれ延びる第１線材１３Ａからなる第１単線部１６Ａと、第２線材１３Ｂからなる第２単線部１６Ｂとを有する。また、第１線材１３Ａと、この第１線材１３Ａに対して第２線材１３Ｂとは反対側に隣接する第３線材１３Ｃとを捩り合わせた第１捩合部１５Ａを有する。さらに、第２線材１３Ｂと、この第２線材１３Ｂに対して第１線材１３Ａとは反対側に隣接する第４線材１３Ｄとを捩り合わせた第２捩合部１５Ｂを有する。さらにまた、第１捩合部１５Ａから分岐した第１線材１３Ａからなる第３単線部１６Ｃと、第２捩合部１５Ｂから分岐した第２線材１３Ｂからなる第４単線部１６Ｄとを有する。第３単線部１６Ｃ（第１線材１３Ａ）と第４単線部１６Ｄ（第２線材１３Ｂ）とは捩り合わされて捩合部１５となる。
【００３８】
多角形部１４の形状は捩合部ピッチすなわちハニカム密度を変更することにより、縦長あるいは横長の形状に変更することができる。ここに、捩合部ピッチとは、図３に示すように、縦方向の捩合部１５の間隔（ここでは中心位置の間隔を使用）である縦ピッチＰ１と、横方向の捩合部１５の間隔である横ピッチＰ２とを意味する。
【００３９】
縦ピッチＰ１の調整は、捩合部１５の捩合回数の増減、あるいは、単線部１６の傾斜角度の調整により行うことができる。
【００４０】
捩合部１５の捩合回数は増やせば増やすほど、線材同士が擦れにくい構成とすることができるが、前述の通り使用時の線材同士の擦れを十分に防止できる２回以上であればよい。捩合回数を調整することで、捩合部１５の長さを変更して縦ピッチＰ１を調整することができる。例えば、図７に示すように、捩合回数を増やすことで、各正六角形を縦長の形状とすることができるし、捩合回数を減少させることで、図示しないが横長の形状とすることもできる。
【００４１】
また捩合部１５から延びる単線部１６の傾斜角度（図３の上下方向（縦方向）に対する単線部１６の傾斜角度θ）を変更することによっても縦ピッチＰ１を調整することができる。図５では、捩合部１５に対する傾斜角度、すなわち縦方向に対する傾斜角度θを大きくして横長形状としている。図６では、捩合部１５に対する傾斜角度、すなわち縦方向に対する傾斜角度θを小さくして縦長形状としている。
【００４２】
横ピッチＰ２の調整は、線材１３の間隔を調整することにより行うことができる。すなわち、線材１３の間隔を広くすることにより多角形部１４を横長とすることができ、狭くすることにより縦長とすることができる。
【００４３】
このように、捩合部１５の捩合回数の増減又は単線部１６の傾斜角度θの調整により正六角形を縦長又は横長のいずれの形状にも調整することができる。縦長形状とすることにより、横方向に比べて縦方向の剛性を小さくすることができる。一方、横長形状とすることにより、縦方向に比べて横方向の剛性を小さくすることができる。
【００４４】
前者の場合、すなわち縦長形状とすることにより横方向に比べて縦方向（タイヤ径方向）の剛性を小さくしたサイド補強層１０の場合、このサイド補強層１０を有するタイヤを使用した車両による走行時の操縦安定性能（操安性）を高めることができる。また前記構成のサイド補強層１０を使用することで、サイド部３の側面からの強度を、重量を増大させることなく十分に高めることができる。
【００４５】
また基材１１の多角形部１４の形状は六角形（正六角形のほか、縦長又は横長の六角形を含む）に限らず、図８に示す四角形としてもよい。すなわち、捩合部１５に対して単線部１６の長さを十分に大きくすることにより四角形とすることができる。図８では多角形部１４は菱形形状となっている。
【００４６】
前記構成からなる基材１１は、図示しない薄いゴム（トッピングゴム）で被覆したり、フィルム状の合成樹脂を熱溶着させてコーティングしたりして被覆部１２を形成することによりサイド補強層１０となる。
【００４７】
前記構成からなるサイド補強層１０を備えたタイヤでは、線材同士の捩合部１５が２回以上の捩合回数で捩り合わせされているので、使用（タイヤによる走行）状態で線材同士が擦れることがない。したがって、線材１３が摩耗により損傷して切断に至る心配がない。
【００４８】
（第２実施形態）
第２実施形態に係るサイド補強層１０は、図９に示すように、一端がカーカスプライ７の外面で、最下端位置からタイヤ断面高さの６０％以下の範囲に配置され、他端がビードフィラー９の内面と、カーカスプライ７の外面との間に配置されている。
【００４９】
（第３実施形態）
第３実施形態に係るサイド補強層１０は、図１０に示すように、ベルト５とビードフィラー９の間でカーカスプライ７の外面に配置されている。
【００５０】
（第４実施形態）
第４実施形態に係るサイド補強層１０は、図１１に示すように、一端がベルト５の一端内面とカーカスプライ７の外面との間に配置され、他端がビードフィラー９の手前のベルト５とビードフィラー９の間で終端している。
【００５１】
この構成によれば、タイヤのトレッド部１とサイド部３とを連結するバットレス部の断面２次モード（タイヤ走行時の振動によるタイヤ断面の振動）による変形を抑制することができ、この変形に起因する２５０〜３１５Ｈｚのロードノイズを低減することが可能となる。
【００５２】
（第５実施形態）
第５実施形態に係るサイド補強層１０は、図１２に示すように、一端がベルト側に配置され、他端が、カーカスプライ７と共にビードコア８の外側から内側へと折り返している（ＤＯＷＮ構造）。詳しくは、サイド補強層１０の一端は、ベルト５の端部から±（ベルト幅×５〜１０％）の位置（＋の場合、ベルト５と重なり、−の場合、ベルト５の端部から離れる。）である。一方、サイド補強層１０の他端は、ビードフィラー９の下端からその高さ（タイヤ径方向の寸法）の０〜１００％の範囲であり、望ましいのは２０〜５０％の範囲である。
【００５３】
この構成によれば、サイド補強層自身の張力を大きくでき、タイヤの横剛性、縦剛性及び前後剛性を高めて変形を防止し、この変形に起因する２５０〜３１５Ｈｚのロードノイズを低減することが可能となる。
【００５４】
（第６実施形態）
第６実施形態に係るサイド補強層１０は、図１３に示すように、一端がベルト側に配置され、他端が、カーカスプライ７と共にビードコア８の内側から外側へと折り返している。詳しくは、サイド補強層１０の一端は、ベルト５の端部から±（ベルト幅×５〜１０％）の位置（＋の場合、ベルト５と重なり、−の場合、ベルト５の端部から離れる。）である。一方、サイド補強層１０の他端は、カーカスプライ７の高さ（ビードコア８の下端位置からのタイヤ径方向の寸法）の２０〜５０％の範囲である。
【００５５】
この構成によれば、サイド補強層１０によりカーカスプライ７に作用させる張力を大きくすることができる。またタイヤのトレッド部１とサイド部３とを連結するバットレス部の断面２次モードによる変形を抑制することができ、この変形に起因する２５０〜３１５Ｈｚのロードノイズを低減することが可能となる。
【実施例】
【００５６】
比較例のサイド補強層１０を備えたタイヤと、本発明に係る実施例のサイド補強層１０を備えたタイヤとで実車フィーリングテストを行った。詳しくは、タイヤサイズ１９５／６５Ｒ１５の空気入りタイヤを使用し、質量、前後剛性、横剛性、縦剛性、操縦安定性、乗心地、ロードノイズ（Ｒ／Ｎ）について評価した。以下に示す数値は、比較例１を１００とした場合の指数を示す。
質量では、指数が小さい方が軽量であることを示す。
前後剛性とは、車両指定の空気圧としたうえで、実車の荷重に相当する荷重を負荷した状態において、タイヤに幅方向の横力を更に負荷したときの変位を測定し、その逆数を算出したものである。
横剛性とは、車両指定の空気圧としたうえで、実車の荷重に相当する荷重を負荷した状態において、タイヤに幅方向の横力を更に負荷したときの変位を測定し、その逆数を算出したものである。
縦剛性とは、縦剛性では、車両指定の空気圧としたうえで、実車の荷重に相当する荷重を負荷した状態における変位を測定し、その逆数を算出したものである。
操縦安定性では、ドライ路面走行及びウエット路面走行の官能評価により比較を実施した。数値が大きいほど操縦安定性能が高く好ましい。
乗心地は、ドライバーのフィーリングにより判断した。
ロードノイズ（Ｒ／Ｎ）とは、時速１００ｋｍで舗装良路のテストコースを走行したときのドライバーの窓側の耳の位置において測定した値を指数化したものである。数値が小さいほど性能が良いことを示す。
【００５７】
【表１】
2015105031.tif 000003
比較例１では、補強構造としてカーカスプライ７のみを設けた構成としている。
比較例２では、補強構造としてカーカスプライ７のみを設けただけであるが、比較例１に比べて質量及び剛性の高い構成としている。
比較例３では、補強構造としてカーカスプライ７のほかに、従来同様なスチール製の線材１３を並設してゴム層で被覆してなる補強層を設けた構成としている。補強層の上端位置をタイヤ断面高さの７５％の位置とし、線材１３が延びる方向をタイヤ周方向（０°方向）としている。
比較例４では、比較例３と同様な被覆層を設けた構成としている。但し、線材１３が延びる方向をタイヤ周方向に対して４５°傾斜した方向（４５°方向）としている。
実施例１では、図１に示す補強層を備えた構成としている。
実施例２では、図９に示す補強層を備えた構成としている。
実施例３では、図１０に示す補強層を備えた構成としている。
実施例４では、図１１に示す補強層を備えた構成としている。
実施例５では、図１２に示す補強層を備えた構成としている。
実施例６では、図１３に示す補強層を備えた構成としている。
【００５８】
前記表１から明らかなように、実施例１から６のいずれの構成であっても、比較例２から４に比べて質量を増大させることなく、比較例１に比べて剛性を増大させ、操縦安定性を向上させることができた。また比較例２から４ほどの乗心地の悪化もなく、ロードノイズが増大することもなかった。
【００５９】
なお、本発明は、前記実施形態に記載された構成に限定されるものではなく、種々の変更が可能である。
【００６０】
（他の実施形態）
前記第１実施形態では、サイド補強層１０の他端は、ビードフィラー９の内側でカーカスプライ７の外面との間に配置するようにしたが、図１４に示すように、カーカスプライ７の折り返し部分の外面に位置させるようにしてもよい。また、サイド補強層１０の他端は、図１５に示すように、カーカスプライ７の折り返し部分の内面（ビードフィラー９との間）に位置させるようにしてもよい。さらに、サイド補強層１０の他端は、図１６に示すように、ビードフィラー９に至らない、その上方側の任意の位置としてもよい。
【００６１】
前記第２実施形態では、サイド補強層１０の他端は、ビードフィラー９の内側でカーカスプライ７の外面との間に配置するようにしたが、図１７に示すように、カーカスプライ７の折り返し部分の外面側に配置するようにしてもよいし、図１８に示すように、カーカスプライ７の折り返し部分の内面とビードフィラー９の外面との間に配置するようにしてもよい。
【００６２】
前記第１実施形態では、サイド補強層１０を構成する多角形部１４の密度を均一なものとしたが、タイヤ径方向の２領域で、多角形部１４の密度を相違させるようにしてもよい。
【００６３】
例えば、図１９に示すように、縦線材１７を３本設けることにより２箇所の分割領域（第１分割領域１８及び第２分割領域１９）を有する構成とし、各分割領域１８、１９で多角形部１４の密度を相違させるようにしてもよい。この場合、密度の高い第２分割領域１９をベルト５の端部側に配置し、密度の低い第１分割領域１８をビードフィラー側に向かって配置すればよい。これにより、軽量であるにも拘わらず、ベルト５の端部での剛性を高めて操縦安定性を確保することができ、乗心地が悪化することもない。
【００６４】
また、基材１１を３本の縦線材１７により２つの分割領域を形成するようにしたが、図２０に示すように、３つの分割領域を形成し、各分割領域で多角形部１４の密度を相違させるようにしてもよい。この場合、中央部分の分割領域の密度を高くして、タイヤのトレッド部１とサイドウォール部とを連結するバットレス部に配置し、両端側の密度の低い分割領域を、トレッド部１と、サイド部３及びビード部４とにそれぞれ配置すればよい。これにより、バットレス部での断面２次モードによる変形を防止し、この変形に伴うロードノイズの発生を低減することができる。
【００６５】
さらに、図２０に示す３つの分割領域で中央部と一端側とで多角形部１４の密度を大きくし、残る他端側で小さくすることにより、操縦安定を確保しつつ、サイド補強層１０の軽量化を図り、ロードノイズを低減することができるようにすることも可能である。
【符号の説明】
【００６６】
１…トレッド部
２…ショルダー部
３…サイド部
４…ビード部
５…ベルト
６…補強プライ
７…カーカスプライ
８…ビードコア
９…ビードフィラー
１０…サイド補強層
１１…基材
１２…被覆部
１３…線材
１４…多角形部
１５…捩合部
１６…単線部
１７…縦線材
【図１】
2015105031.tif 000004
【図２】
2015105031.tif 000005
【図３】
2015105031.tif 000006
【図４】
2015105031.tif 000007
【図５】
2015105031.tif 000008
【図６】
2015105031.tif 000009
【図７】
2015105031.tif 000010
【図８】
2015105031.tif 000011
【図９】
2015105031.tif 000012
【図１０】
2015105031.tif 000013
【図１１】
2015105031.tif 000014
【図１２】
2015105031.tif 000015
【図１３】
2015105031.tif 000016
【図１４】
2015105031.tif 000017
【図１５】
2015105031.tif 000018
【図１６】
2015105031.tif 000019
【図１７】
2015105031.tif 000020
【図１８】
2015105031.tif 000021
【図１９】
2015105031.tif 000022
【図２０】
2015105031.tif 000023